(57)【要約】  無線基地局が移動局に対して無線信号の区間を指定する際に要するデータ量を削減し、無線通信の制御を効率化する。  無線基地局（１０）は、各送信単位をＬビットの番号で識別するために用いられる番号情報を含めて無線信号を送信している。移動局（２０）は、無線基地局（１０）との間で無線通信を行っている。ここで、制御部（１１）は、所定の動作を移動局（２０）に許容する無線信号の区間をＬビットのうちＭビット（Ｌ＞Ｍ）によって指定する。受信部（２１）は、Ｌビットのうち無線基地局（１０）によって指定されたＭビットの情報を取得する。制御部（２２）は、Ｍビットにより特定される無線信号の区間において所定の動作を許容する制御を行う。
2009054072.tif 000002
【特許請求の範囲】
【請求項１】
所定の周期の送信単位で構成される無線信号に、各送信単位をＬビットの番号で識別するために用いられる番号情報を含めて送信する無線基地局において、
所定の動作を移動局に許容する無線信号の区間を前記ＬビットのうちＭビット（Ｌ＞Ｍ）によって指定する制御部、
を有することを特徴とする無線基地局。
【請求項２】
前記制御部で指定された前記Ｍビットを無線信号として前記移動局に送信する送信部を更に有することを特徴とする請求の範囲第１項記載の無線基地局。
【請求項３】
前記制御部は、２のＭ乗個より少ない個数の連続する複数種類のＭビットを用いて無線信号の区間を指定することを特徴とする請求の範囲第１項記載の無線基地局。
【請求項４】
前記所定の動作は、間欠的に行われる受信動作または送信動作であることを特徴とする請求の範囲第１項記載の無線基地局。
【請求項５】
前記Ｍビットは、前記移動局がハンドオーバ前にサービスを受けていた他の無線基地局経由で前記移動局に送信されることを特徴とする請求の範囲第１項記載の無線基地局。
【請求項６】
前記所定の動作は、前記無線基地局によりハンドオーバの際に指定されたランダムアクセス信号を利用したアクセス動作であることを特徴とする請求の範囲第１項記載の無線基地局。
【請求項７】
所定の周期の送信単位で構成される無線信号に、各送信単位をＬビットの番号で識別するために用いられる番号情報を含めて送信する無線基地局との間で無線通信を行う移動局において、
前記Ｌビットのうち前記無線基地局によって指定されたＭビット（Ｌ＞Ｍ）の情報を取得する受信部と、
前記受信部で取得した前記Ｍビットにより特定される無線信号の区間において所定の動作を許容する制御を行う制御部と、
を有することを特徴とする移動局。
【請求項８】
前記制御部は、前記無線基地局との間の無線通信の状態に応じて、前記Ｍビットが前記Ｌビットのうち何れのビットに対応するか判断して無線信号の区間を特定することを特徴とする請求の範囲第７項記載の移動局。
【請求項９】
所定の周期の送信単位で構成される無線信号に、各送信単位をＬビットの番号で識別するために用いられる番号情報を含めて送信する無線基地局との間で行う無線通信の制御方法において、
前記Ｌビットのうち前記無線基地局によって指定されたＭビット（Ｌ＞Ｍ）の情報を取得し、
取得した前記Ｍビットにより特定される無線信号の区間において所定の動作を許容する制御を行う、
ことを特徴とする無線通信の制御方法。
【請求項１０】
前記Ｍビットから無線信号の区間を特定する際に、前記無線基地局との間の無線通信の状態に応じて、前記Ｍビットが前記Ｌビットのうち何れのビットに対応するか判断することを特徴とする請求の範囲第９項記載の無線通信の制御方法。
【発明の詳細な説明】
【技術分野】
【０００１】
本発明は無線基地局、移動局および制御方法に関し、特に無線基地局から移動局に所定の動作を許容する区間が通知される無線通信システムにおける無線基地局、移動局および制御方法に関する。
【背景技術】
【０００２】
現在、携帯電話システムや無線ＬＡＮ（Local Area Network）などの移動通信システムが広く使用されている。このような移動通信システムの多くはセルラ方式を採用している。セルラ方式では、移動局は近傍の基地局と無線通信を行い、基地局経由で他の移動局やコンピュータと通信を行うことができる。ここで、基地局と移動局との間で送受信される一連の無線信号は、所定の周期の送信単位に区分して認識することができる。ここでは、このような所定の送信単位をフレームと呼ぶことにする。３ＧＰＰ（3rd Generation Partnership Project）で仕様が策定されたＵＴＲＡＮシステムやその後継システムであるＥ−ＵＴＲＡＮ（Evolved UTRAN）システムでは、このフレームの長さは１０ｍｓであり、各フレームは、より短い長さのサブフレームで構成される（Ｅ−ＵＴＲＡＮにおけるサブフレーム長は１ｍｓ）。【０００３】
３ＧＰＰ仕様に基づく移動通信システムでは、基地局から移動局への伝送路（下りリンク）におけるフレームは、連続的な番号が対応付けられて管理される。基地局は、フレーム番号を示す情報を定期的に無線信号に含めて送信する。移動局は、この情報に基づいて各フレームの番号を認識する。これにより、基地局と移動局の双方はフレーム番号を用いて下りリンクのフレームを識別することが可能となる。なお、フレーム番号のビット長は予め定義されており、例えば、１０ビットや１２ビットである。フレーム番号は定義されたビット長の範囲内で循環的に使用される。【０００４】
ここで、下りリンクのフレームを識別するフレーム番号は、基地局と移動局との間の無線通信を制御する上で様々な用途に使用される。例えば、以下に述べるようなフレーム番号の用途がある（例えば、非特許文献１参照）。【０００５】
フレーム番号が使用される場面の１つに、ハンドオーバの制御がある。ハンドオーバは、移動局がアクセス先の基地局を動的に変更する際に行われる処理である。移動局は、ハンドオーバ時にまず、ハンドオーバ先の基地局にランダムアクセス信号を送信する。ランダムアクセス信号は、ランダムアクセスチャネル（ＲＡＣＨ：Random Access CHannel）として割り当てられた所定のタイミングで送信されなければならない。このため、複数の移動局が同時に送信を行い、基地局においてランダムアクセス信号の衝突が生じる可能性がある。【０００６】
これに対し、衝突発生による再送処理を避けるため、基地局がハンドオーバを行おうとする移動局にそれぞれ異なるシーケンスを割り当て、移動局にそのシーケンスを用いたランダムアクセス信号を送信させて、衝突が生じた場合でもシーケンスに基づいて移動局を特定できるようにする方法が知られている。ここで、基地局が割り当て可能なシーケンスの数は限られているため、基地局は時間制限を付して移動局にシーケンスを割り当てる。その際、基地局が移動局に時間帯を指定するためにフレーム番号が用いられる。すなわち、基地局は下りリンクのフレームを基準としてシーケンスの割り当て時間帯を指定する。【０００７】
また、フレーム番号が使用される他の場面に、移動局による間欠的な受信処理の制御がある。移動局は、消費電力を抑制するため、無線信号を受信する必要がない間は受信回路の電源をＯＦＦにするという制御を行う。例えば、移動局がアイドル状態にある場合、自局宛ての呼び出しの有無を確認するときや基地局から報知情報を受信するときに受信回路をＯＮにすればよく、他の時間帯は受信処理を停止することができる。また、音声パケット通信のように間欠的にしかパケットが到着しない通信時に、パケットが到着しない間は受信処理を停止することができる。ここで、受信処理が必要な時間帯を基地局が移動局に通知するためにフレーム番号が用いられる。すなわち、基地局は下りリンクのフレームを基準として受信処理の時間帯を指定する。【０００８】
同様に、移動局による間欠的な送信処理の制御にもフレーム番号が使用される。基地局は、移動局との間の通信品質を良好に保つために、通信品質の測定情報を間欠的に収集する。例えば、基地局は移動局から下りリンクの通信品質の測定結果を間欠的に取得する。また、基地局は移動局が間欠的に送信する広域パイロット信号に基づいて、上りリンクの通信品質を測定する。ここで、下りリンクの測定結果や上りリンクの測定に用いる信号を移動局に送信させるタイミングを指定するためにフレーム番号が用いられる。すなわち、基地局は下りリンクのフレームを基準として送信処理の時間帯を指定する。
【非特許文献１】3rd Generation Partnership Project, "Evolved Universal Terrestrial Radio Access (E-UTRA) and Evolved Universal Terrestrial Radio Access Network (E-UTRAN); Overall description; Stage 2 (Release 8)", 3GPP TS36.300, 2007-06, V8.1.0.
【発明の開示】
【発明が解決しようとする課題】
【０００９】
上記のように、様々な場面で基地局から移動局に対して無線信号の区間の指定が行われる。ここで、送信単位を識別する番号によって無線信号の区間を指定するには、例えば、（１）指定区間に含まれる送信単位それぞれの番号を列挙する、（２）連続する複数の送信単位のうち先頭の番号と末尾の番号とを示す、（３）連続する複数の送信単位のうち先頭の番号とそれに続く送信単位の個数を示す、といった方法が考えられる。【００１０】
しかし、上記の何れの方法を用いたとしても、送信単位の番号を表すために必要なデータ量が無線通信の制御効率を低下させる原因になるという問題がある。無線信号の区間の指定は頻繁に行われるものであるため、通信システム全体への影響が非常に大きい。【００１１】
本発明はこのような点に鑑みてなされたものであり、無線基地局が移動局に対して無線信号の区間を指定する際に要するデータ量を削減し、無線通信の制御を効率化することが可能な無線基地局、移動局および制御方法を提供することを目的とする。
【課題を解決するための手段】
【００１２】
上記課題を解決するために、所定の周期の送信単位で構成される無線信号に、各送信単位をＬビットの番号で識別するために用いられる番号情報を含めて送信する無線基地局が提供される。この無線基地局は、所定の動作を移動局に許容する無線信号の区間をＬビットのうちＭビット（Ｌ＞Ｍ）によって指定する制御部を有する。【００１３】
このような無線基地局によれば、制御部により、各送信単位を識別するためのＬビットのうちＭビットによって、所定の動作を移動局に許容する無線信号の区間が指定される。
また、上記課題を解決するために、所定の周期の送信単位で構成される無線信号に、各送信単位をＬビットの番号で識別するために用いられる番号情報を含めて送信する無線基地局との間で無線通信を行う移動局が提供される。この移動局は、受信部と制御部とを有する。受信部は、Ｌビットのうち無線基地局によって指定されたＭビット（Ｌ＞Ｍ）の情報を取得する。制御部は、受信部で取得したＭビットにより特定される無線信号の区間において所定の動作を許容する制御を行う。【００１４】
このような移動局によれば、受信部により、各送信単位を識別するためのＬビットのうちＭビットを指定した情報が取得される。そして、制御部により、Ｍビットにより特定される無線信号の区間において所定の動作を許容する制御が行われる。【００１５】
また、上記課題を解決するために、所定の周期の送信単位で構成される無線信号に、各送信単位をＬビットの番号で識別するために用いられる番号情報を含めて送信する無線基地局との間で行う無線通信の制御方法が提供される。この制御方法では、Ｌビットのうち無線基地局によって指定されたＭビット（Ｌ＞Ｍ）の情報を取得する。そして、取得したＭビットにより特定される無線信号の区間において所定の動作を許容する制御を行う。【００１６】
このような制御方法によれば、各送信単位を識別するためのＬビットのうちＭビットを指定した情報が取得される。そして、Ｍビットにより特定される無線信号の区間において所定の動作を許容する制御が行われる。
【発明の効果】
【００１７】
上記無線基地局によれば、所定の動作を移動局に許容する区間を指定するために要するデータ量を削減でき、無線通信の制御が一層効率化される。また、上記移動局によれば、よりデータ量の少ない受信情報に基づいて、無線信号の区間を特定し所定の動作を許容する制御を行うことが可能となる。同様に、上記制御方法によれば、よりデータ量の少ない受信情報に基づいて、無線信号の区間を特定し所定の動作を許容する制御を行うことが可能となる。【００１８】
本発明の上記および他の目的、特徴および利点は本発明の例として好ましい実施の形態を表す添付の図面と関連した以下の説明により明らかになるであろう。
【図面の簡単な説明】
【００１９】
【図１】本実施の形態の概要を示す図である。
【図２】本実施の形態のシステム構成を示す図である。
【図３】基地局の機能を示すブロック図である。
【図４】移動局の機能を示すブロック図である。
【図５】無線通信のフレーム構造を示す図である。
【図６】ランダムアクセス信号のシーケンスの種類を示す図である。
【図７】フレーム選択処理の手順を示すフローチャートである。
【図８】フレーム指定情報と選択されるフレームとの関係を示す第１の図である。
【図９】フレーム指定情報と選択されるフレームとの関係を示す第２の図である。
【図１０】フレーム指定情報と選択されるフレームとの関係を示す第３の図である。
【図１１】フレーム指定情報と選択されるフレームとの関係を示す第４の図である。
【図１２】フレーム指定情報と選択されるフレームとの関係を示す第５の図である。
【図１３】移動局と基地局との間の信号の流れを示すシーケンス図である。
【発明を実施するための最良の形態】
【００２０】
以下、本実施の形態を図面を参照して詳細に説明する。まず、本実施の形態の概要について説明し、その後、本実施の形態の具体的な内容を説明する。
図１は、本実施の形態の概要を示す図である。図１に示す通信システムは、無線通信を行う無線基地局１０および移動局２０で構成される。無線基地局１０から移動局２０に送信される下りリンクの一連の無線信号は、所定の周期の送信単位で構成される。この送信単位は、例えば、いわゆるフレームに相当する。このフレームは、さらに短い時間長のサブフレームで構成してもよい。【００２１】
無線基地局１０および移動局２０は共に、下りリンクの各送信単位にＬビットの番号を対応付けて識別する。このＬビットの番号は、例えば、３ＧＰＰ仕様のシステムでは、ＳＦＮ（System Frame Number）と呼ばれている。無線基地局１０は、送信単位とＬビットの番号とを対応付けるために用いられる番号情報を、無線信号に含めて移動局２０に送信している。ここで、無線基地局１０と移動局２０とは各送信単位を齟齬なく識別できればよく、番号情報は全ての送信単位に含めて送信してもよいし、間欠的に定期または不定期に送信してもよい。また、番号情報はＬビットのデータ自体であってもよいし、所定の規則に従ってＬビットの一部を省略したデータであってもよい。【００２２】
無線基地局１０は、制御部１１と送信部１２とを有する。制御部１１は、所定の動作を移動局２０に許容する時間帯を下りリンクの無線信号を基準にして指定する。具体的には、制御部１１は、送信単位を識別するＬビットのうち、Ｌビットより少ないＭビットによって無線信号の区間を指定する。【００２３】
このＭビットがＬビットのうち何れのビットに対応するかは、無線基地局１０と移動局２０との間で予め取り決めておく。例えば、Ｌビットのうち上位Ｍビットに対応する、Ｌビットのうち下位Ｍビット対応する、といった規則を取り決めておく。なお、ＭビットとＬビットとの対応関係は、無線基地局１０と移動局２０との間の通信状態に応じて可変としてもよい。また、ビット長Ｍは一連の無線通信を通じて固定とせず、無線基地局１０と移動局２０との間の通信状態に応じて可変としてもよい。【００２４】
送信部１２は、制御部１１で指定されたＬビットを区間指定情報３として、下りリンクの無線信号に含めて移動局２０に無線送信する。なお、ここでは送信部１２が直接に移動局２０に無線送信するとしたが、図示しない他の無線基地局経由で移動局２０に送信するようにしてもよい。【００２５】
移動局２０は、受信部２１と制御部２２とを有する。受信部２１は、無線基地局１０から下りリンクの無線信号を受信して区間指定情報３を抽出する。なお、ここでは無線基地局１０が送信する無線信号から区間指定情報３を抽出するとしたが、図示しない他の無線基地局経由で区間指定情報３が送信される場合には、その無線基地局からの無線信号を受信して区間指定情報３を抽出する。【００２６】
制御部２２は、受信部２１で抽出した区間指定情報３が示すＭビットと無線基地局１０との間の取り決めに基づいて、下りリンクの無線信号の区間を特定する。そして、制御部２２は、特定した無線信号の区間において所定の動作を許容する制御を行う。ここで、移動局２０によって行われる所定の動作とは、例えば、ランダムアクセス信号の送信処理や、間欠的な受信処理または所定の信号の送信処理などである。なお、所定の動作の内容は、一連の無線通信を通じて固定とせず、無線基地局１０と移動局２０との間の通信状態に応じて可変としてもよい。【００２７】
例えば、図１に示すようにＬ＝５，Ｍ＝３であり、区間指定情報３で「１０１」が指定され、この３ビットが送信単位を識別する５ビットの上位３ビットに対応し、これにより連続する区間が指定されるとする。この場合、移動局２０はこの区間指定情報３を取得すると、上位３ビットが「１０１」である「１０１００」，「１０１０１」，「１０１１０」，「１０１１１」の４つの番号の送信単位を特定し、所定の動作を特定した区間内で行うように制御する。【００２８】
このような通信システムによれば、無線基地局１０の制御部１１により、各送信単位を識別するためのＬビットのうちＭビットによって、所定の動作を移動局２０に許容する無線信号の区間が指定される。そして、無線基地局１０の送信部１２により、制御部１１で指定されたＭビットが区間指定情報３として移動局２０に無線送信される。【００２９】
すると、移動局２０の受信部２１により、受信信号から区間指定情報３が抽出される。そして、移動局２０の制御部２２により、Ｍビットにより特定される無線信号の区間において、所定の動作を許容する制御が行われる。これにより、所定の動作を移動局２０に許容する時間帯を指定するために要するデータ量を削減でき、無線通信の制御が一層効率化される。【００３０】
以下、本実施の形態の具体的な内容を図面を参照して詳細に説明する。
図２は、本実施の形態のシステム構成を示す図である。本実施の形態に係る携帯電話システムは、基地局１００，１００ａと移動局２００とを有する。【００３１】
基地局１００，１００ａは、それぞれ電波到達範囲（セル）内に存在する移動局との間で双方向の無線通信を行うことができる無線基地局である。すなわち、基地局１００，１００ａは、移動局２００がセル内にいるとき、移動局２００との間でパケットデータや制御情報を含む無線信号を送受信することができる。また、基地局１００と基地局１００ａとは、図示しない有線または無線のネットワークで接続されており、双方向通信を行うことができる。【００３２】
移動局２００は、電波到達範囲内に存在する無線基地局との間で双方向の無線通信を行うことができる無線通信端末である。すなわち、移動局２００は、基地局１００または基地局１００ａのセル内にいるとき、基地局１００または基地局１００ａとの間で無線通信を行い、基地局経由で他の移動局やコンピュータと通信を行うことができる。また、移動局２００は、移動に伴って適宜ハンドオーバを実行し、無線基地局との間の通信品質を良好に維持する。例えば、移動局２００が基地局１００の近傍から基地局１００ａの近傍に移動すると、基地局１００から基地局１００ａに接続先を変更する。このとき、ハンドオーバ元の基地局１００、ハンドオーバ先の基地局１００ａおよび移動局２００が連携してハンドオーバを実行する。【００３３】
ここで、基地局１００，１００ａは、定期的にＳＦＮ情報を無線信号に含めて送信している。ＳＦＮ情報は、基地局１００，１００ａが送信する下りリンクのフレームを識別するＳＦＮの特定に用いられる情報である。移動局２００は、基地局１００，１００ａが送信するＳＦＮ情報を取得し、下りリンクの各フレームとＳＦＮとの対応関係を認識する。これにより、基地局１００，１００ａと移動局２００との間で、下りリンクの無線信号のタイミングに関して共通の認識が形成される。【００３４】
なお、基地局１００，１００ａは、両者の間でＳＦＮの同期は必ずしもとっているわけではなく、それぞれ個別にＳＦＮの管理を行っている。すなわち、移動局２００が同じタイミングで受信した基地局１００からのフレームと基地局１００ａからのフレームとの間で、ＳＦＮは異なる可能性が高い。従って、移動局２００は、基地局毎にＳＦＮとフレームとの対応関係を管理する必要がある。【００３５】
図３は、基地局の機能を示すブロック図である。基地局１００は、送受信アンテナ１１０、受信部１２０、復号部１３０、シーケンス管理部１４０、ＲＡ信号検出部１４５、ＨＯ制御部１５０、データ処理部１６０、制御情報処理部１６５、間欠処理制御部１７０、物理チャネル生成部１８０および送信部１９０を有する。なお、基地局１００ａも基地局１００と同様のモジュール構成によって実現できる。【００３６】
送受信アンテナ１１０は、通常、送信／受信共用の無線通信アンテナである（送信アンテナと受信アンテナは共用ではなく、独立であってもよい）。送受信アンテナ１１０は、上りリンクの無線信号を受信すると、受信部１２０に出力する。また、送受信アンテナ１１０は、送信部１９０から取得する送信信号を無線送信する。【００３７】
受信部１２０は、送受信アンテナ１１０から取得する受信信号を、所定の復調方式に従って復調して復号部１３０に出力する。
復号部１３０は、受信部１２０から取得する復調信号を復号する。ここで、復号部１３０は、復号結果としてパケットデータを得ると、宛先の移動局やコンピュータに転送するために基地局１００の内部に取り込む。パケットデータとしては、例えば、ＶｏＩＰ（Voice over Internet Protocol）データやテキストデータや画像データなどがある。また、復号結果としてハンドオーバに関する制御情報を得ると、ＨＯ制御部１５０に出力する。ハンドオーバに関する制御情報としては、例えば、下りリンクの品質測定結果がある。また、復号結果としてランダムアクセス信号を得ると、ＲＡ信号検出部１４５に出力する。【００３８】
シーケンス管理部１４０は、ランダムアクセスチャネルのプリアンブル信号に用いられるシーケンスを管理する。複数種類のシーケンスが予め定義されており、各シーケンスはシーケンス番号が付与されて管理されている。ここで、シーケンスの一部はハンドオーバ用として予約されている。シーケンス管理部１４０は、ハンドオーバ用のシーケンスを、使用を許可する期間を指定してハンドオーバを行おうとする移動局に割り当てる。ハンドオーバ用に予約されていないシーケンスは、移動局が基地局１００の許可を得ずに自由に使用できるシーケンスである。このシーケンスは、例えば、移動局が起動時にランダムアクセス信号を送信する際に使用される。【００３９】
ＲＡ信号検出部１４５は、復号部１３０から取得するランダムアクセス信号のプリアンブル部分とシーケンス管理部１４０の管理情報とを照合して、取得したランダムアクセス信号がハンドオーバに関する信号か、また、どの移動局からのランダムアクセス信号かを調べる。そして、ＲＡ信号検出部１４５は、ハンドオーバに関するランダムアクセス信号である場合、照合結果をＨＯ制御部１５０に出力する。【００４０】
ＨＯ制御部１５０は、ハンドオーバに関する処理を実行する。ハンドオーバの際にＨＯ制御部１５０が実行する処理の内容は、基地局１００がハンドオーバ元であるかハンドオーバ先であるかによって異なる。【００４１】
基地局１００がハンドオーバ元であるとき、すなわち、基地局１００が移動局の現在の接続先であるとき、ＨＯ制御部１５０は、復号部１３０から取得する下りリンクの品質測定結果に基づいて、ハンドオーバが必要か否か判断する。ハンドオーバが必要であると判断すると、ＨＯ制御部１５０は、ハンドオーバ先となる無線基地局にハンドオーバ要求を送信する。その後、ＨＯ制御部１５０は、通知先の無線基地局からランダムアクセス信号に用いるシーケンスの番号と使用許可期間を示すフレーム指定情報とを受信し、制御情報処理部１６５に出力する。【００４２】
一方、基地局１００がハンドオーバ先であるとき、ＨＯ制御部１５０は、ハンドオーバ元の無線基地局からハンドオーバ要求を受信する。すると、ＨＯ制御部１５０は、シーケンス管理部１４０にシーケンスの割り当てを依頼する。その後、ＨＯ制御部１５０は、シーケンス管理部１４０からシーケンス番号と使用可能期間を示すフレーム指定情報とを取得し、ハンドオーバ元の無線基地局に返信する。【００４３】
データ処理部１６０は、移動局宛てに送信するパケットデータを符号化して物理チャネル生成部１８０に出力する。送信するパケットデータとしては、例えば、ＶｏＩＰデータや画像データがある。【００４４】
制御情報処理部１６５は、移動局宛てに送信する制御情報を符号化して物理チャネル生成部１８０に出力する。送信する制御情報としては、例えば、ＨＯ制御部１５０や間欠処理制御部１７０から取得する情報、パケットデータの符号化方式を示す情報、移動局に使用を許可する上りリンクの無線リソースの指定情報がある。【００４５】
間欠処理制御部１７０は、復号部１３０を監視して上りリンクのパケットデータの伝送状況を把握すると共に、データ処理部１６０を監視して下りリンクのパケットデータの伝送状況を把握する。そして、間欠処理制御部１７０は、各移動局について、間欠的な受信処理または間欠的な送信処理が必要か否か判断する。例えば、間欠処理制御部１７０は、下りリンクのパケットデータが少ない場合に、消費電力を低減するため移動局は間欠的に受信処理を行うべきと判断する。そして、間欠処理制御部１７０は、間欠処理を指示する情報と間欠処理の間隔を示すフレーム指定情報とを制御情報処理部１６５に出力する。【００４６】
物理チャネル生成部１８０は、データ処理部１６０および制御情報処理部１６５から符号化信号を取得すると、送信に使用する無線リソース、すなわち、送信周波数および送信タイミングを特定して多重化し、送信部１９０に出力する。【００４７】
送信部１９０は、物理チャネル生成部１８０から取得する符号化信号を、所定の変調方式に従って変調して、送信信号として送受信アンテナ１１０に出力する。
図４は、移動局の機能を示すブロック図である。移動局２００は、送受信アンテナ２１０、受信部２２０、復号部２３０、ＨＯ処理部２４０、プリアンブル信号生成部２５０、タイミング制御部２６０、データ処理部２７０、制御情報処理部２７５、物理チャネル生成部２８０および送信部２９０を有する。【００４８】
送受信アンテナ２１０は、送信／受信共用の無線通信アンテナである。送受信アンテナ２１０は、下りリンクの無線信号を受信すると、受信部２２０に出力する。また、送受信アンテナ２１０は、送信部２９０から取得する送信信号を無線送信する。【００４９】
受信部２２０は、送受信アンテナ２１０から取得する受信信号を、所定の復調方式に従って復調して復号部２３０に出力する。また、受信部２２０は、タイミング制御部２６０からＳＦＮを指定した間欠受信の指示があると、指定されたＳＦＮによって特定される区間以外の区間では、受信回路の電源をＯＦＦにして受信処理を停止する。【００５０】
復号部２３０は、受信部２２０から取得する復調信号を復号する。ここで、復号部２３０は、復号結果としてパケットデータを得ると、パケットの種類に応じた再生処理を行うために移動局２００の内部に取り込む。再生処理は、例えば、パケットデータがＶｏＩＰデータの場合にはスピーカーへの音声出力処理であり、パケットデータが画像データの場合には表示画面上の描画処理である。また、復号結果としてハンドオーバに関する制御情報を得ると、ＨＯ処理部２４０に出力する。ハンドオーバに関する制御情報としては、例えば、ハンドオーバ開始指示信号やプリアンブル信号のシーケンス番号やシーケンスの使用許可期間情報やハンドオーバの完了通知の情報などがある。また、復号結果としてフレーム指定情報（シーケンスの使用許可期間情報）を得ると、タイミング制御部２６０に出力する。【００５１】
ＨＯ処理部２４０は、ハンドオーバに関する処理を実行する。具体的には、ＨＯ処理部２４０は、復号部２３０から取得するシーケンス番号に基づいて、ランダムアクセスプリアンブル信号に用いるシーケンスを決定する。また、ＨＯ処理部２４０はタイミング制御部２６０から、シーケンスの使用許可期間の情報を取得する。そして、ＨＯ処理部２４０は、プリアンブル信号生成部２５０に信号生成を指示する。また、ＨＯ処理部２４０は、ハンドオーバに関して基地局に送信すべき制御情報を制御情報処理部２７５に出力する。【００５２】
プリアンブル信号生成部２５０は、ＨＯ処理部２４０からの信号生成指示に基づいて、ランダムアクセスプリアンブル信号を生成し、送信部２９０に出力する。
タイミング制御部２６０は、復号部２３０から取得するフレーム指定情報に基づいて、下りリンクのフレームの区間を特定する。ここで、フレーム指定情報は、ＳＦＮのビット長よりも短いビット長のビット列で構成されている。そこで、タイミング制御部２６０は、基地局１００，１００ａとの取り決めに基づいて、フレーム指定情報の意味を適切に解釈する必要がある。このとき、フレーム指定情報の解釈は、移動局２００の通信状況に依存する。フレーム指定情報の解釈方法については、後で詳細に説明する。【００５３】
そして、タイミング制御部２６０は、移動局２００の通信状況に応じて、フレームの区間の情報を受信部２２０、ＨＯ処理部２４０または送信部２９０の何れかに出力する。具体的には、無線基地局から間欠的な受信処理の指示があったときは、受信部２２０に出力する。ハンドオーバの指示があったときは、ＨＯ処理部２４０に出力する。間欠的な送信処理の指示があったときは、送信部２９０に出力する。【００５４】
データ処理部２７０は、他の移動局宛てまたはコンピュータ宛てに送信するパケットデータを符号化して物理チャネル生成部２８０に出力する。送信するパケットデータとしては、例えば、ＶｏＩＰデータや画像データがある。【００５５】
制御情報処理部２７５は、通信中の基地局や他の移動局宛てまたはコンピュータ宛てに送信する制御情報を符号化して物理チャネル生成部２８０に出力する。送信する制御情報としては、例えば、送信するデータを復調・復号するために必要な情報、基地局が移動局との通信を維持するために必要とする制御情報、下りリンクの品質測定結果やパケットデータの受信に対するＡＣＫ／ＮＡＣＫがある。【００５６】
物理チャネル生成部２８０は、データ処理部２７０および制御情報処理部２７５から符号化信号を取得すると、送信に使用する無線リソースを特定して多重化し、送信部２９０に出力する。【００５７】
送信部２９０は、プリアンブル信号生成部２５０から取得するランダムアクセスプリアンブル信号を送信する。また、送信部２９０は、タイミング制御部２６０から取得する間欠送信を行う区間の情報に基づいて、広帯域パイロット信号などの所定の信号を挿入する。その後、送信部２９０は、所定の変調方式に従って変調を行い、送信信号として送受信アンテナ２１０に出力する。【００５８】
図５は、無線通信のフレーム構造を示す図である。基地局１００，１００ａから移動局２００に送信される下りリンクの無線信号は、現在の３ＧＰＰ仕様のシステムにおいては、１０ｍｓ（ミリ秒）のフレームで構成され、フレームは更に短い時間長のサブフレームで構成される。各フレーム内の、時間軸×周波数軸上の所定の無線リソースが、ランダムアクセスチャネルに割り当てられている。ランダムアクセス信号は、ランダムアクセスチャネル内で送信されなければならない。【００５９】
また、各フレームは、１０ビットのＳＦＮによって識別される。「００００００００００」（０）から「１１１１１１１１１１」（１０２３）までの１０２４個のＳＦＮがインクリメンタルかつ循環的に使用される。ここで、移動局２００がフレームとＳＦＮとを対応付けるために用いるＳＦＮ情報は、フレーム毎に（すなわち、１フレームに１回）送信してもよいし、所定の間隔で（例えば、４フレームに１回）送信してもよい。また、ここでは、ＳＦＮのサイズを１０ビットとしているが、別のシステムにおいては、異なる値でもよい。ただし、同一システム内においては、各基地局におけるＳＦＮのサイズは同じとする。【００６０】
図６は、ランダムアクセス信号のシーケンスの種類を示す図である。ここでは、基地局１００，１００ａはそれぞれ、第１番から第Ｋ番までのＫ種類のシーケンスを用意している。このうち、第１番から第４番までの４種類のシーケンスがハンドオーバ用に予約されている。一方、第５番から第Ｋ番までのＫ−４種類のシーケンスが汎用的に使用可能なシーケンスである。【００６１】
第１番から第４番までのシーケンスは、移動局と使用許可期間とを指定した割り当てが行われる。従って、これらのシーケンスを用いることは、ランダムアクセス信号の衝突の回避に寄与する。一方、第５番から第Ｋ番までのシーケンスは、割り当て管理が行われず移動局の判断で使用可能なシーケンスである。従って、これらのシーケンスを用いることは、ランダムアクセス信号の衝突が発生し処理が遅延する危険性をもっている。なお、ハンドオーバ用に予約するシーケンスを、図６のようにシーケンス番号の小さい順に選択する必要はなく、任意の番号のシーケンスを選択することも可能である。【００６２】
次に、以上のような構成を備える携帯電話システムにおいて実行される処理の詳細を説明する。
図７は、フレーム選択処理の手順を示すフローチャートである。以下、移動局２００で実行される図７に示すフレーム選択処理をステップ番号に沿って説明する。【００６３】
［ステップＳ１１］復号部２３０は、無線信号に含まれるフレーム指定情報を抽出してタイミング制御部２６０に出力する。
［ステップＳ１２］タイミング制御部２６０は、移動局２００が現在ハンドオーバ処理の実行中であるか否か判断する。ハンドオーバ処理の実行中である場合、タイミング制御部２６０は、ステップＳ１１で抽出されたフレーム指定情報がシーケンスの使用許可期間を示していると判断する。そして、処理がステップＳ１３に進められる。一方、ハンドオーバ処理の実行中でない場合、処理がステップＳ１５に進められる。【００６４】
［ステップＳ１３］タイミング制御部２６０は、基地局１００，１００ａとの間で、所定ビット数だけ上位ビットを省略してフレーム指定情報を送信するという取り決めがある場合、省略された上位ビットを補完する。例えば、上位４ビットを省略するという取り決めがあるときに、フレーム指定情報が含まれるフレームのＳＦＮの上位４ビットを、フレーム指定情報が示すビット列の上位側に付加する。【００６５】
［ステップＳ１４］タイミング制御部２６０は、ステップＳ１３の補完処理後のビット列（Ｍビット）とＳＦＮの上位Ｍビットとが同一になるフレーム区間を特定する。タイミング制御部２６０は、このようにして特定した１つの連続したフレーム区間をＨＯ処理部２４０に通知する。これにより、そのフレーム区間が次に到来したときにランダムアクセス信号が送信される。【００６６】
［ステップＳ１５］タイミング制御部２６０は、基地局１００，１００ａとの間で、所定ビット数だけ下位ビットを省略してフレーム指定情報を送信するという取り決めがある場合、省略された下位ビットを補完する。例えば、下位２ビットを省略するという取り決めがあるとき、「００」，「０１」，「１０」,「１１」それぞれを、フレーム指定情報が示すビット列の下位側に付加する。【００６７】
［ステップＳ１６］タイミング制御部２６０は、基地局１００，１００ａから間欠的な送信処理の指示があったか否か判断する。間欠的な送信処理の指示があった場合には、処理がステップＳ１７に進められる。一方、間欠的な送信処理の指示がなかった場合、すなわち、間欠的な受信処理の指示があった場合には、処理がステップＳ１８に進められる。【００６８】
［ステップＳ１７］タイミング制御部２６０は、ステップＳ１５の補完処理後のビット列（Ｎビット）とＳＦＮの下位Ｎビットとが同一になるフレーム区間を特定する。そして、タイミング制御部２６０は、このようにして特定した周期的なフレーム区間を送信部２９０に通知する。これにより、その周期で所定の信号が送信される。【００６９】
［ステップＳ１８］タイミング制御部２６０は、ステップＳ１５の補完処理後のビット列（Ｎビット）とＳＦＮの下位Ｎビットとが同一になるフレーム区間を特定する。そして、タイミング制御部２６０は、このようにして特定した周期的なフレーム区間を受信部２２０に通知する。これにより、その周期で受信回路の電源がＯＮになって受信処理が行われ、その他の区間では受信回路の電源がＯＦＦになる。【００７０】
このようにして移動局２００は、ハンドオーバ処理中である場合には、フレーム指定情報とＳＦＮの上位側ビットとを照合して、１つの連続したフレーム区間を特定する。そして、特定したフレーム区間内でランダムアクセス信号が送信されるよう制御する。また、基地局１００，１００ａから間欠的な送信処理または受信処理が指示された場合には、フレーム指定情報とＳＦＮの下位側ビットとを照合して、周期的なフレーム区間を特定する。そして、特定したフレーム区間が到来する毎に、所定の信号の送信処理または無線信号の受信処理が実行されるよう制御する。【００７１】
次に、フレーム指定情報の解釈方法の具体例を説明する。
図８は、フレーム指定情報と選択されるフレームとの関係を示す第１の図である。ここでは、移動局２００がハンドオーバ処理の実行中であり、最新の受信フレームのＳＦＮが「０１００１０００００」であり、このフレームにビット列「０１００１００１」を示すフレーム指定情報が含まれているとする。また、移動局２００と基地局１００，１００ａとの間で、ハンドオーバ時には上位側ビットの省略は行わないとの取り決めがなされているとする。【００７２】
すると、移動局２００は、ＳＦＮの上位８ビットが「０１００１００１」であるフレーム、すなわち、ＳＦＮが「０１００１００１００」〜「０１００１００１１１」のフレームを特定する。そして、移動局２００は、この４フレームの区間内で、ランダムアクセス信号を送信する。【００７３】
ここで、上記の例を一般化し、フレーム指定情報で示されるビット列のビット長をＭ、ＳＦＮのビット長をＷ、指定の連続フレーム数をＬと置くと、Ｍ＝Ｗ−ｌｏｇ2Ｌの関係が成立する。なお、上記の例では、下位２ビットが「００」で始まり「１１」で終わる連続する４フレームを特定したが、「００」以外のビットで始まる連続する４フレームを特定してもよい。例えば、「０１００１００１０１」〜「０１００１０１０００」のように、下位２ビットが「０１」で始まり「００」で終わる連続する４フレームを特定してもよい。【００７４】
図９は、フレーム指定情報と選択されるフレームとの関係を示す第２の図である。ここでは、移動局２００がハンドオーバ処理の実行中であり、最新の受信フレームのＳＦＮが「０１００１０００００」であり、このフレームにビット列「１００１」を示すフレーム指定情報が含まれているとする。また、移動局２００と基地局１００，１００ａとの間で、ハンドオーバ時には上位４ビットを省略するとの取り決めがなされているとする。【００７５】
すると、移動局２００は、フレーム指定情報が示す「１００１」の上位側に、現在のフレームの上位４ビットである「０１００」を補完して、「０１００１００１」を得る。そして、移動局２００は、ＳＦＮの上位８ビットが「０１００１００１」であるフレームを特定する。そして、移動局２００は、この４フレームの区間内で、ランダムアクセス信号を送信する。なお、前述のように、下位２ビットが「００」以外のビットで始まる連続する４フレームを特定してもよい。【００７６】
図１０は、フレーム指定情報と選択されるフレームとの関係を示す第３の図である。ここでは、移動局２００が間欠的な送信処理または受信処理の指示を受け、最新の受信フレームのＳＦＮが「０１００１０００００」であり、このフレームにビット列「１１」を示すフレーム指定情報が含まれているとする。また、移動局２００と基地局１００，１００ａとの間で、間欠処理の指示の際には下位側ビットの省略は行わないとの取り決めがなされているとする。【００７７】
すると、移動局２００はＳＦＮの下位２ビットが「１１」であるフレームを特定する。そして、移動局２００は、特定したフレームにおいて間欠的な送信処理または受信処理を実行する。すなわち、移動局２００は、４フレームに１フレームの割合で、送信処理または受信処理を実行する。ここで、上記の例を一般化し、フレーム指定情報で示されるビット列のビット長をＮ、指定のフレーム周期をＰと置くと、Ｎ＝ｌｏｇ2Ｐの関係が成立する。【００７８】
図１１は、フレーム指定情報と選択されるフレームとの関係を示す第４の図である。ここでは、移動局２００が間欠的な送信処理または受信処理の指示を受け、最新の受信フレームのＳＦＮが「０１００１０００００」であり、このフレームに２つのビット列「１０」，「１１」を示すフレーム指定情報が含まれているとする。また、移動局２００と基地局１００，１００ａとの間で、間欠処理の指示の際には下位側ビットの省略は行わないとの取り決めがなされているとする。【００７９】
すると、移動局２００はＳＦＮの下位２ビットが「１０」であるフレームと「１１」であるフレームとを特定する。そして、移動局２００は、特定したフレームにおいて間欠的な送信処理または受信処理を実行する。すなわち、移動局２００は、４フレームに連続２フレームの割合で、送信処理または受信処理を実行する。【００８０】
図１２は、フレーム指定情報と選択されるフレームとの関係を示す第５の図である。ここでは、移動局２００が間欠的な送信処理または受信処理の指示を受け、最新の受信フレームのＳＦＮが「０１００１０００００」であり、このフレームにビット列「０１」を示すフレーム指定情報が含まれているとする。また、基地局１００，１００ａから移動局２００に４フレームに１回の割合でＳＦＮ情報が送信され、ＳＦＮ情報ではＳＦＮの下位２ビットが省略されているとする。そして、移動局２００と基地局１００，１００ａとの間で、間欠処理の指示の際にはＳＦＮ情報で省略されたビット数だけフレーム指定情報でも下位側ビットの省略を行うとの取り決めがなされているとする。【００８１】
すると、移動局２００は、フレーム指定情報が示す「０１」の下位側に、２ビットで表現可能な全ビットパターンである「００」，「０１」，「１０」，「１１」それぞれを補完して、フレーム区間「０１００」〜「０１１１」を得る。そして、移動局２００は、ＳＦＮの下位４ビットが「０１００」〜「０１１１」であるフレームを特定し、特定したフレーム区間において間欠的な送信処理または受信処理を実行する。すなわち、移動局２００は、１６フレーム中に連続４フレームの割合で、送信処理または受信処理を実行する。なお、ＳＦＮ情報で下位２ビットが省略されていても、フレーム指定情報では下位側ビットを省略せずに４ビットで表すとする取り決めも可能である。【００８２】
以上、フレーム指定情報の解釈方法の具体例を５つ挙げたが、これらを一般化すると以下のようになる。フレーム指定情報で示されるビット列のビット長をＹ、フレーム指定情報で示されるビット列の最下位ビットがＳＦＮの下位から何桁目に相当するかをＳ、指定の連続フレーム数をＬ、指定のフレーム周期をＰと置くと、Ｙ＝ｌｏｇ2Ｐ−ｌｏｇ2Ｌ；Ｓ＝ｌｏｇ2Ｌ＋１の関係が成立する。【００８３】
次に、携帯電話システム全体のメッセージの流れの例について説明する。
図１３は、移動局と基地局との間の信号の流れを示すシーケンス図である。このシーケンス図は、移動局２００が基地局１００から基地局１００ａへのハンドオーバを行い、その後、基地局１００ａからの指示によってパイロット信号を間欠送信するというシナリオを示している。以下、図１３に示す処理をステップ番号に沿って説明する。【００８４】
［ステップＳ２１］移動局２００は、現在の接続先の無線基地局である基地局１００に下りリンクの品質測定結果を無線送信する。
［ステップＳ２２］基地局１００は、ステップＳ２１で移動局２００から受信した品質測定結果を分析し、基地局１００ａへのハンドオーバが必要であると判断する。すると、基地局１００は、基地局１００ａにハンドオーバ要求を送信する。【００８５】
［ステップＳ２３］基地局１００ａは、ハンドオーバ用のシーケンスの現在の割り当て状況を確認し、移動局２００に使用させるシーケンスと使用許可期間とを判断する。そして、基地局１００ａは、シーケンスを識別するシーケンス番号と使用許可期間を示すフレーム指定情報を付加して、ハンドオーバ許可の応答を基地局１００に返信する。【００８６】
［ステップＳ２４］基地局１００は、ステップＳ２３で基地局１００ａから取得した情報を移動局２００に無線送信する。
［ステップＳ２５］移動局２００は、ステップＳ２４で取得したシーケンス番号に基づいて、ランダムアクセスプリアンブル信号を生成する。また、移動局２００は、ステップＳ２４で取得したフレーム指定情報に基づいて、基地局１００ａから受信するフレーム上での区間を特定する。そして、移動局２００は、生成したプリアンブル信号を含むランダムアクセス信号を、特定したフレーム区間内のランダムアクセスチャネルで基地局１００ａに無線送信する。【００８７】
［ステップＳ２６］基地局１００ａは、ステップＳ２５で受信したランダムアクセス信号が移動局２００からの信号であることを、プリアンブル信号に基づいて確認する。その後、基地局１００ａは、ハンドオーバの準備完了を無線で移動局２００に応答する。【００８８】
［ステップＳ２７］基地局１００ａは、ハンドオーバに成功した旨を基地局１００に通知する。これによって、基地局１００と移動局２００との間の接続は切断され、以降は基地局１００ａと移動局２００との間で無線通信が行われる。【００８９】
［ステップＳ２８］基地局１００ａは、移動局２００から間欠的なパイロット信号の受信が必要と判断する。すると、基地局１００ａは、移動局２００にパイロット信号を送信させる周期およびタイミングを判断する。そして、基地局１００ａは、この送信周期およびタイミングを示すフレーム指定情報を付加して、パイロット信号の送信要求を移動局２００に無線送信する。【００９０】
［ステップＳ２９］移動局２００は、ステップＳ２８で取得したフレーム指定情報に基づいて、基地局１００ａから受信するフレーム上での周期およびタイミングを特定する。そして、移動局２００は、特定したタイミングでパイロット信号を基地局１００ａに無線送信する。基地局１００ａは、移動局２００から受信するパイロット信号に基づいて、移動局２００から基地局１００への上りリンクの通信品質を測定する。【００９１】
［ステップＳ３０］移動局２００は、以降ステップＳ２９で特定した周期でパイロット信号を基地局１００ａに無線送信する。
このようにして、移動局２００のハンドオーバ時には、ハンドオーバ先である基地局１００ａがプリアンブル信号に用いるシーケンスと使用許可期間とを判断して、ハンドオーバ元である基地局１００経由で移動局２００に通知する。また、ハンドオーバの実行後、基地局１００ａはパイロット信号の送信タイミングおよび送信周期を、無線で移動局２００に通知する。【００９２】
このような携帯電話システムによれば、基地局１００，１００ａが移動局２００にフレーム区間を指定するために要するデータ量をより削減することができ、無線通信の制御が一層効率化される。また、基地局１００，１００ａと移動局２００との間の通信状況に応じて、フレーム指定情報の解釈を柔軟に変えることができ、様々な用途に応用することができる。【００９３】
なお、本実施の形態ではフレーム指定情報の用途として、ハンドオーバ時のシーケンスの使用許可期間を定義する用途と、移動局２００に間欠的な送信処理または受信処理を実行させる用途とを挙げたが、フレーム指定情報の用途はこれに限定されるものではない。また、本実施の形態ではフレームに番号を付して識別することとしたが、他の種類の送信単位に番号を付して識別するようにしてもよい。また、本実施の形態では携帯電話システムを例に挙げたが、本実施の形態を他の種類の無線通信システムに応用することも容易である。【００９４】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００９５】
１０  無線基地局
１１  制御部
１２  送信部
２０  移動局
２１  受信部
２２  制御部
３  区間指定情報
【図１】
2009054072.tif 000003
【図２】
2009054072.tif 000004
【図３】
2009054072.tif 000005
【図４】
2009054072.tif 000006
【図５】
2009054072.tif 000007
【図６】
2009054072.tif 000008
【図７】
2009054072.tif 000009
【図８】
2009054072.tif 000010
【図９】
2009054072.tif 000011
【図１０】
2009054072.tif 000012
【図１１】
2009054072.tif 000013
【図１２】
2009054072.tif 000014
【図１３】
2009054072.tif 000015
【国際調査報告】
2009054072.tif 000016
2009054072.tif 000017
2009054072.tif 000018